(57)【要約】  【課題】利用者が選曲時や演奏時に一々面倒な操作を行う必要がなく、自国語でない歌詞テロップでもルビを見ながら外国人でも快適に歌唱でき、あるいは、利用者の国籍に応じ、その自国語以外の外国語曲の歌唱により、その外国語を効果的に習得できるカラオケシステムの提供。  【解決手段】所定のカラオケ楽曲につき、その歌詞テロップに振られるルビとして、複数の国語の表音文字が用意されていると共に、その何れかを表示可能なカラオケシステムにおいて、利用者ＩＤが取得された任意の利用者が所定のカラオケ楽曲を選曲した場合、該利用者の予め登録された国籍情報に基づき、該国籍情報に対応する国語のルビ情報を抽出し、該利用者が選曲した楽曲の演奏時、その歌詞テロップには、その抽出されたルビ情報に対応する国語のルビを振るように構成した。【選択図】図２
2007271817.tif 000002
【特許請求の範囲】
【請求項１】
所定のカラオケ楽曲につき、その歌詞テロップに振られるルビとして、複数の国語の表音文字が用意されていると共に、その何れかを表示可能とされてなり、利用者ＩＤ取得手段と、利用者別ルビ抽出手段と、利用者別ルビ表示制御手段とを備え、
利用者ＩＤ取得手段は、任意の利用者が該システムにログインする際、その利用者ＩＤを識別して取得し、
利用者別ルビ抽出手段は、利用者ＩＤが取得された任意の利用者が前記所定のカラオケ楽曲を選曲した場合、該利用者の予め登録された国籍情報に基づき、該国籍情報に対応する国語のルビ情報を抽出し、
利用者別ルビ表示制御手段は、前記利用者が選曲した楽曲の演奏時、その歌詞テロップに前記抽出されたルビ情報に対応する国語のルビを振るように制御する、
ことを特徴とするルビ表示機能付カラオケシステム。
【発明の詳細な説明】
【技術分野】
【０００１】
本発明はルビ表示機能付カラオケシステムに関するものであり、特に、利用者の属性情報（国籍情報）に基づき、歌詞テロップのルビ表示の種類を自動的に設定するカラオケシステムに関するものである。
【背景技術】
【０００２】
従来のカラオケシステムにおいて、例えば、日本語の歌詞である場合は、歌詞テロップの漢字部分に振り仮名となるルビを振って、利用者に歌い易い環境にするシステムが知られている。また、外国語の歌詞である場合は、歌詞テロップに日本語の仮名ルビを振ることもある。さらに、最近では、学童年齢の子供たちが外国語の教育を受けることが一般的になりつつあり、教材として外国語のカラオケ楽曲を歌唱することにより、外国語の発音を上達させることも考えられてきている。このような場合、歌詞テロップに仮名ルビを振り、子供たちがルビを見ながら外国語の発音を行えるようにすれば、学習意欲がわくと共に教育の成果向上が期待されている。
【０００３】
従来、カラオケシステムにおける歌詞テロップやルビに関する発明も数多くなされている。例えば、歌詞テロップにルビを振った楽曲を歌唱するときに、利用者の要望に応じて歌詞テロップにルビ表示を行わないようにできるカラオケ装置などである。具体的には、例えば、特許文献１では、歌詞およびルビの表示文字を記述した歌詞データを歌詞表示部へ転送する際に、ルビ表示を禁止する指定情報が書き込まれたときは、歌詞データの中のルビデータ部を歌詞表示部へ転送するのを禁止し、モニタに表示される歌詞テロップにルビ表示しないようにした技術が想到されている。
【０００４】
また、従来では、所定の楽曲につき、複数の歌詞テロップから利用者が所望するものを選択できる発明もなされている。例えば、特許文献２では、外国人向けに英文や仏文など日本語以外の言語による歌詞表示が選択できるカラオケ装置が開示されている。
【特許文献１】特開平７−１４０９９２号公報
【特許文献２】特開平８−１３７４８１号公報
【発明の開示】
【発明が解決しようとする課題】
【０００５】
しかしながら、上記特許文献１記載の発明についても、特許文献２の発明についても、ルビや歌詞テロップの表示／非表示あるいは選択について、選曲や演奏時の度、利用者がこれを指定しなければならないという手間があった。特に、利用者がお気に入りの楽曲の場合は、該楽曲を何回も選曲することがあり、その都度、所定の操作を行わなければならないので、大変面倒であり効率が悪かった。
【０００６】
すなわち、本発明でも、特に歌詞テロップのルビ表示に着目しているが、最近のカラオケ利用の国際化に伴い、本国人（例えば、日本人）だけでなく外国人（例えば、欧米人や中韓人）でも快適に歌唱させたり、あるいは、利用者の国籍に応じ、その自国語以外の外国語曲の歌唱により、その外国語を効果的に習得させる場合でも、上記従来の技術では、選曲時や演奏時に、利用者が一々所定の操作を行わなければならない面倒があり、利用者に負担を強いることになる。
【０００７】
このような問題に鑑み、本発明では、利用者が選曲時や演奏時に一々面倒な操作を行う必要がなく、自国語でない歌詞テロップでもルビを見ながら外国人でも快適に歌唱でき、あるいは、利用者の国籍に応じ、その自国語以外の外国語曲の歌唱により、その外国語を効果的に習得できるカラオケシステムの提供を課題とする。
【課題を解決するための手段】
【０００８】
上記課題に鑑み、本発明者らは、所定のカラオケ楽曲につき、その歌詞テロップに振られるルビとして、複数の国語の表音文字が用意されていると共に、その何れかを表示可能なカラオケシステムにおいて、利用者ＩＤが取得された任意の利用者が所定のカラオケ楽曲を選曲した場合、該利用者の予め登録された国籍情報に基づき、該国籍情報に対応する国語のルビ情報を抽出し、該利用者が選曲した楽曲の演奏時、その歌詞テロップには、その抽出されたルビ情報に対応する国語のルビを振るカラオケシステムをもって、上記課題を解決できることを見出し、本発明を想到した。
【０００９】
すなわち、本発明のルビ表示機能付カラオケシステムは、所定のカラオケ楽曲につき、その歌詞テロップに振られるルビとして、複数の国語の表音文字が用意されていると共に、その何れかを表示可能とされてなり、利用者ＩＤ取得手段と、利用者別ルビ抽出手段と、利用者別ルビ表示制御手段とを備え、利用者ＩＤ取得手段は、任意の利用者が該システムにログインする際、その利用者ＩＤを識別して取得し、利用者別ルビ抽出手段は、利用者ＩＤが取得された任意の利用者が前記所定のカラオケ楽曲を選曲した場合、該利用者の予め登録された国籍情報に基づき、該国籍情報に対応する国語のルビ情報を抽出し、利用者別ルビ表示制御手段は、前記利用者が選曲した楽曲の演奏時、その歌詞テロップに前記抽出されたルビ情報に対応する国語のルビを振るように制御することを特徴とする。
【００１０】
この構成によれば、利用者がカラオケシステムを利用する際は、利用者ＩＤ取得手段が利用者ＩＤを識別して取得することにより、該利用者がカラオケシステムにログインできる。この利用者ＩＤに基づいてカラオケホスト装置（サーバー）から該利用者の利用者情報がダウンロードされる。この利用者情報には利用者の国籍情報などのデータが含まれ、利用者が任意の楽曲を予約登録された際に、該利用者の国籍情報に対応する国語をルビ表示情報として記録する。そして、該利用者の登録した楽曲の演奏時には、ルビ表示情報に対応する国語のルビ文字が抽出され、この抽出された国語のルビを表示する。ルビ表示情報は該利用者ＩＤに紐付けされて利用者情報として更新され、カラオケ演奏装置およびサーバーに記録されるため、該利用者が如何なる所定の外国語曲を予約登録した際でも、該利用者に適した国語のルビが表示される。
【発明の効果】
【００１１】
すなわち、本発明のルビ表示機能付カラオケシステムによれば、各利用者ＩＤに紐付けられて登録された国籍情報に従い、任意の利用者が当該システムにログインする際、その利用者ＩＤから該利用者の国籍情報が取得され、この国籍情報に基づいて利用者の国籍に対応する国語のルビが自動的に抽出され表示されることにより、利用者が一々所定の操作を行わなければならない面倒がなく、本国人だけでなく外国人でもルビを見ながら快適に歌唱でき、あるいは、利用者の国籍に応じ、その国籍以外の外国語曲の歌唱により、その外国語を効果的に習得できるなどといった効果を奏する。
【発明を実施するための最良の形態】
【００１２】
以下、本発明に係るルビ表示機能付カラオケシステムについて、好適な実施例をあげて説明する。
【実施例１】
【００１３】
図１は本発明に係るカラオケシステムの全体構成図であり、カラオケ演奏装置１０はＣＰＵ、ＲＡＭ、ＲＯＭ等を含む中央制御部１１を有し、ルータやモデム等の回線終端装置１２を介してネットワーク通信回線１００に接続され、該ネットワーク通信回線１００を介してカラオケホスト装置２００に接続されている。後述するように、カラオケ演奏装置１０から利用者の選曲情報をカラオケホスト装置２００へ送り、カラオケホスト装置２００からカラオケデータを受け取ってハードディスク装置１３に格納する。また、利用者から利用者ＩＤを取得してカラオケホスト装置２００へ送り、カラオケホスト装置２００から該利用者の利用者情報を受け取る。
【００１４】
カラオケ演奏装置１０はリモコン装置５０を有し、該リモコン装置５０には表示部と入力部が一体になったグラフィカルユーザーインターフェイス（以下ＧＵＩという）５１が設けられている。利用者がＧＵＩ５１に表示される楽曲一覧から所望の楽曲を選択すれば、リモコン装置５０からカラオケ演奏装置１０へ該楽曲ＩＤを含む選曲情報信号が送信される。この選曲情報信号がカラオケ演奏装置１０に備えられているリモコン受信部１４にて受信されると、受信された選曲情報信号が操作制御部１５を介して前記中央制御部１１に送られる。また、カラオケ演奏装置１０の本体に設けられている操作パネル１６にて直接楽曲ＩＤを入力した場合も、操作パネル１６から操作制御部１５を介して前記中央制御部１１に選曲情報信号が送られる。
【００１５】
中央制御部１１は操作制御部１５から選曲情報信号を受け取ると、選択された楽曲を選曲予約手段にて予約し、該当するカラオケデータを前記ハードディスク装置１３から読み出す。選曲情報に該当するカラオケデータがハードディスク装置１３に存在しないときは、前述した回線終端装置１２を介してネットワーク通信回線１００と接続し、前記カラオケホスト装置２００から該当するカラオケデータをダウンロードしてハードディスク装置１３に格納する。
【００１６】
前記カラオケデータは、カラオケ楽曲の伴奏音楽を生成するための演奏データと、モニタ等の表示手段に出力される歌詞テロップおよび背景映像である動画等の画像データを含んでいる。演奏データはＭＩＤＩ規格などで符号化された音源制御情報であり、画像データはコード化された歌詞文字群（ルビ文字データを含む）やＭＰＥＧ規格などで圧縮された映像の情報を含んでいる。
【００１７】
ここで、外国語の楽曲においては、歌詞テロップに振られるルビとして、複数の国語の表音文字が用意されていると共に、中央制御部１１に内蔵されている利用者別ルビ表示制御手段と利用者別ルビ抽出手段（図示省略）により、利用者に適応したルビが抽出され、表示されるように構成されている。本発明におけるルビ文字とは、仮名文字や片仮名文字あるいはハングル文字といった音節文字や、アルファベットとして有名なアラビア文字やギリシャ文字あるいはキリル文字といった音素文字からなる表音文字であり、発音記号を構成するものであっても良い。なお、ルビ文字は日本語だけではなく中国語や韓国語あるいは英語やラテン語など、複数の国語の表音文字が用意されていると共にている。
【００１８】
中央制御部１１は該当するカラオケデータから楽曲データをシンセサイザ１７に順次転送し、該シンセサイザ１７はこの楽曲データに従って伴奏音楽を生成する。シンセサイザ１７によって生成された伴奏音楽は、ミキシングアンプ１８を通ってスピーカ１９から再生される。一方、利用者が歌唱する音声はマイク２０に集音され、前記ミキシングアンプ１８で伴奏音楽とミキシングされてスピーカ１９から再生される。
【００１９】
また、中央制御部１１は該カラオケデータからこの伴奏音楽の生成に同期させて歌詞描出データを処理し、歌詞文字群を順次映像制御部２１にビットマップ展開させる。さらに、該カラオケデータから楽曲に対応する動画データを抽出し、映像制御部２１にて背景映像に前記歌詞文字群をスーパーインポーズし、背景映像と歌詞文字群を表示手段であるモニタ２２の画面に表示させる。なお、本発明では、上記特許文献１に記載のように、ルビ表示データを独立して用意し、演奏時に、上記歌詞文字群から抽出されてなる歌詞テロップ本体と合成させるように構成しても、あるいは、独立させずに予め合成された歌詞テロップ（ルビ表示有テロップ）と非合成の歌詞テロップ（ルビ表示無しテロップ）の二種類（複数の国語の表音文字を対応させれば、さらに多種類となる）を用意しても構わない。
【００２０】
ここで、前記リモコン装置５０にはＧＵＩ５１のほかに、利用者ＩＤ記録媒体の一例であるＩＣカード５２を読み取るためのカードリーダ５３が設けられている。利用者が自分のＩＣカード５２を前記カードリーダ５３にセットすれば、利用者ＩＤ取得手段としてのカードリーダ５３が利用者ＩＤを識別して取得し、取得された利用者ＩＤが前記中央制御部１１に送られる。そして、ネットワーク通信回線１００によりカラオケホスト装置２００へ転送されて、該利用者がカラオケシステムにログインすることができる。
【００２１】
利用者ＩＤが取得されてカラオケシステムにログインすると、カラオケホスト装置２００から該利用者の国籍情報を含め、所定の利用者情報がダウンロードされ、該利用者が歌唱した楽曲履歴や登録したお気に入り曲名などが、利用者の操作に応じてモニタ２２あるいはリモコン装置５０のＧＵＩ５１に表示される。この国籍情報は利用者ＩＤと紐付けされてＲＡＭ（図示省略）に一時記録され、該利用者が選曲した場合、利用者別ルビ抽出手段は、該国籍情報に対応する国語のルビ情報を抽出して、利用者ＩＤが紐付けられた選曲の予約待ち行列に、その抽出情報を付帯させる。そして、その楽曲の演奏時には、利用者別ルビ表示制御手段は、歌詞テロップに抽出した国語の表音文字のルビを振るように制御する。
【００２２】
なお、前記利用者ＩＤ記録媒体としては前述のＩＣカード５２に限定されず、例えば、携帯電話に利用者ＩＤを記録するマイクロチップを内蔵しておき、該携帯電話をリモコン装置にセットして利用者ＩＤを読み取るように構成することもできる。かかる構成の場合は、特にＩＣカードを別途用意する必要がなく、利用者が通常に持っている携帯電話にてカラオケシステムにログインすることができ、また、利用者ＩＤ記録媒体から利用者ＩＤを読み取る装置は、前記リモコン装置５０に設けなくてもよく、他の機器あるいは単独して設置してもよい。
【００２３】
ここで、本発明について、さらに詳述する。なお、図２は制御手順のフローチャート、図３〜図７はルビ表示機能画面の説明図、また、図８は利用者別の国籍情報を含む属性情報管理テーブル概略図、図９は楽曲別の国語別ルビ情報対応テーブル概略図である。
【００２４】
先ず、本カラオケシステムにおいては、カラオケ装置がスタンドアロンで利用されている場合にはカラオケ装置本体に、また、カラオケ装置が通信端末としてカラオケホスト装置に接続されている場合には当該ホスト装置の所定の記憶部に、利用者別の属性情報が予め登録された管理テーブルが用意されている。図８はその管理テーブルの概略図である。本実施例の管理テーブルは、カラオケホスト装置に設置されており、利用者ＩＤを付与した会員利用者を管理するものでデータベース化されている。そして、それぞれの「利用者ＩＤ」に紐付けして「氏名」、「住所」、「生年月日」、「性別」、および、本発明で必要とされる「国籍」といった各種の属性情報がフィールド毎に記録されている。
【００２５】
また、所定のカラオケ楽曲には、国語別ルビの表音文字が登録されており、それら楽曲毎に、その楽曲ＩＤに紐付けして、国語別ルビ情報が対応付けられている。図９は、その対応テーブルの概略図である。この対応テーブルは、カラオケホスト装置に初期設置されると共に、カラオケ装置にもダウンロードされる。本実施例では、それぞれの楽曲ＩＤに紐付けして、「日本語」、「韓国語」、「中国語」、「タイ語」、「英語」、「仏語」、「独語」がルビ情報としてフラグが立てられ登録されている。ちなみに、本実施例では、デフォルトは日本語に設定されており、また、楽曲によっては、ここで挙げた７種類全ての国語別のルビが用意されている訳ではない。図中、フラグが立っていないものは当該国語のルビは存在しない。また、当然のことながら、漢字への仮名ルビを除けば、歌詞テロップと同じ国語のルビは用意されない。
【００２６】
以下、図１と図２に基づき、該カラオケシステムにおけるルビ表示機能について説明する。なお、説明の都合上、以下とくに記述がないかぎり、各手段のプログラムあるいは各手段によって生成または記録されるデータは、カラオケ演奏装置１０の中央制御部１１内のメモリもしくはハードディスク装置１３に記録されるものとする。
【００２７】
先ず、利用者ＩＤ取得手段であるカードリーダ５３に利用者のＩＣカード５２をセットすることにより、該利用者の利用者ＩＤが取得されて中央制御部１１に送られ、カラオケホスト装置２００に記録されている該利用者の利用者情報が中央制御部１１に取り込まれる（ステップ：Ｓ１）。
【００２８】
利用者ＩＤが取得されてカラオケシステムにログインすると、取得された利用者ＩＤに基づいて、カラオケホスト装置２００に記録されている上記「利用者別の国籍情報を含む属性情報管理テーブル」から国籍情報を始め、必要な属性情報を読み込んでカラオケ演奏装置１０に記録する（Ｓ２）。そして、利用者ＩＤが取得された任意の利用者により、所定のカラオケ楽曲が選曲されると（Ｓ３）、利用者別ルビ抽出手段は、選曲した利用者の国籍情報と上記楽曲別の国語別ルビ情報対応テーブルとを参照し、その国籍に対応する表音文字のルビがあるか否かを判断し（Ｓ４）、対応するルビ情報がある場合にはこれを抽出し（Ｓ５）、無い場合にはデフォルト設定のルビ情報を抽出する（Ｓ６）。
【００２９】
本実施例では、選曲後は、通常の予約システムに従い、予約待ち行列に登録される（Ｓ７）が、この際、利用者ＩＤと楽曲ＩＤの他、抽出されたルビ情報が付帯される。当該選曲された楽曲の演奏開始の際（Ｓ８）、利用者別ルビ表示制御手段は、その歌詞テロップには抽出されたルビ情報に対応する国語のルビを振るように制御する（Ｓ９）。演奏の終了か否かが確認され（Ｓ１０）、確認されれば、一楽曲についての一連の処理は終了し、再度の選曲により同様な処理が繰り返される。
【００３０】
ここで、図３〜図７に示すルビ表示機能画面の説明図に基づき、本システムの機能について、具体的に詳述する。先ず、利用者ＩＤが取得された任意の利用者が、リモコン装置５０（図１参照）にて所望の楽曲を選択すると、例えば、図３に示すように、「ザ・ウイルスズ」の演奏楽曲の中から「All Your Loving」を選択すれば、図４に示すように、選択された楽曲名が表示されると共に、該利用者の国籍情報に対応して、画面の隅の「ルビ表示」に、例えば「中国語」が表示される。この表示の通り、該楽曲の演奏時には、その歌詞テロップに中国語のルビが振られる。
【００３１】
なお、該利用者が特に別の国語のルビ表示を希望する場合には、「ルビ表示変更」ボタンを押せば、図５に示すように、ルビ表示の国語を選択する画面が表示される。利用者はその中から所望する国語のルビ表示を選択する。例えば、新たに「韓国語」を選択すれば、利用者別ルビ抽出手段は、「中国語」に代わり「韓国語」のルビ情報を抽出する。そして、特に変更がなければ、「すすむ」ボタンを押すことにより、図６に示すように、「歌詞テロップに中国語のルビを付けます」旨のメッセージが表示され、利用者が「転送」ボタンを押すことにより、予約待ち行列には、該利用者ＩＤと楽曲ＩＤと共に、中国語のルビ情報が付帯される。
【００３２】
そして、予約登録した楽曲の演奏が開始されると、楽曲演奏が再生されると共に、背景映像と該楽曲の歌詞テロップが、楽曲の進行に同期してモニタに表示され、この際、歌詞テロップには抽出されたルビ情報に対応する中国語でルビ表示される。例えば、図７に示すように、モニタ画面の下段には英語の歌詞テロップ６０が表示されると共に、その上段に中国語の表音文字（図示省略）が表示される。
【００３３】
このように、本発明のルビ表示機能付カラオケシステムによれば、各利用者ＩＤに紐付けられて登録された国籍情報に従い、任意の利用者が当該システムにログインする際、その利用者ＩＤから該利用者の国籍情報が取得され、この国籍情報に基づいて利用者の国籍に対応する国語のルビが自動的に抽出され表示されることにより、利用者が一々所定の操作を行わなければならない面倒がなく、本国人だけでなく外国人でもルビを見ながら快適に歌唱でき、あるいは、利用者の国籍に応じ、その国籍以外の外国語曲の歌唱により、その外国語を効果的に習得できる。
【００３４】
なお、本発明は、本発明の精神を逸脱しない限り種々の改変を為すことができ、そして、本発明が該改変されたものに及ぶことは当然である。
【図面の簡単な説明】
【００３５】
【図１】本発明に係るカラオケシステムの全体構成図。
【図２】本発明に係る制御手順のフローチャート。
【図３】本発明に係るルビ表示機能画面の説明図。
【図４】本発明に係るルビ表示機能画面の説明図。
【図５】本発明に係るルビ表示機能画面の説明図。
【図６】本発明に係るルビ表示機能画面の説明図。
【図７】本発明に係るルビ表示機能画面の説明図。
【図８】利用者別の国籍情報を含む属性情報管理テーブル概略図。
【図９】楽曲別の国語別ルビ情報対応テーブル概略図。
【符号の説明】
【００３６】
１０  カラオケシステム
１１  中央制御部
１３  ハードディスク装置
２１  映像制御部
２２  モニタ
５０  リモコン装置
５１  ＧＵＩ
６０  英語歌詞テロップ
６１  中国語ルビ文字
【図１】
2007271817.tif 000003
【図２】
2007271817.tif 000004
【図３】
2007271817.tif 000005
【図４】
2007271817.tif 000006
【図５】
2007271817.tif 000007
【図６】
2007271817.tif 000008
【図７】
2007271817.tif 000009
【図８】
2007271817.tif 000010
【図９】
2007271817.tif 000011